(57)【要約】  様々な階層で無数の線路配置を提供するように構成された玩具線路システム。玩具線路システムは、線路部品と、線路部品に接続されて線路の様々な高さを提供するように構成された垂直に向けた支持部品と、線路部品に接続され、線路部品に隣接して、および／または線路部品を越えて位置決めされた目的地に対する支持を提供するように構成されたプラットホームとを含む。【選択図】図１４
2013507188.tif 000002
【特許請求の範囲】
【請求項１】
おすコネクタを含む第１の線路部品と、
前記第１の線路部品の前記おすコネクタを受け取るように構成されためすコネクタを含む第２の線路部品とを含み、
前記第１の線路部品および前記第２の線路部品の少なくとも１つが、線路表面を受け取るように構成された凹部をさらに含み、前記線路表面が、前記第１の線路部品および前記第２の線路部品の前記少なくとも１つの材料とは異なる材料を含む、
玩具線路システム。
【請求項２】
前記凹部が支柱を含み、前記線路表面が開口を含み、前記支柱が、前記開口を受け取って前記凹部内に前記線路表面を固定するように構成される、請求項１に記載の玩具線路システム。
【請求項３】
前記第１の線路部品および前記第２の線路部品の１つが、前記凹部を少なくとも部分的に画定する基礎および側壁をさらに含み、前記第１の線路部品および前記第２の線路部品の前記１つが、前記基礎および前記側壁の１つから延びる少なくとも１つのおすコネクタをさらに含む、請求項１に記載の玩具線路システム。
【請求項４】
前記基礎および前記側壁の１つから延びる前記少なくとも１つのおすコネクタを受け取るように構成されためすコネクタを含むプラットホームをさらに備える、請求項３に記載の玩具線路システム。
【請求項５】
前記プラットホームが片持ち梁である、請求項４に記載の玩具線路システム。
【請求項６】
第１の端部および第２の端部を含む垂直に向けた支持部をさらに備え、前記第１の端部が、前記基礎および前記側壁の１つから延びる前記少なくとも１つのおすコネクタを受け取るように構成されためすコネクタを含む、請求項３に記載の玩具線路システム。
【請求項７】
前記垂直に向けた支持部の前記第２の端部が、第２の垂直に向けた支持部の前記めすコネクタを受け取るように構成されたおすコネクタを含む、請求項６に記載の玩具線路システム。
【請求項８】
前記垂直に向けた支持部の少なくとも一部分が、前記線路部品を横切って延びる、請求項６に記載の玩具線路システム。
【請求項９】
前記垂直に向けた支持部が、前記線路部品に対して様々な高さを提供する、請求項７に記載の玩具線路システム。
【請求項１０】
ともに接続されて線路配置を形成するように構成された複数の線路部品と、
前記線路部品に接続されるように構成され、前記線路部品に隣接して位置決めされた目的地を支持するようにさらに構成された複数のプラットホームと、
前記線路部品に接続されて前記線路配置に複数の高さを提供するように構成された複数の垂直に向けた支持部とを備え、
前記線路部品および前記プラットホームが、前記線路配置のモジュール式の組立てプロセスを提供するように幾何学的に寸法設定される、
玩具線路システム。
【発明の詳細な説明】
【技術分野】
【０００１】
関連出願
[0001]本願は、２００９年１０月６日出願の米国特許仮出願第６１／２４９，２２９号の非仮出願であり、同願に対する優先権を主張する。同願の内容を、参照により本明細書に組み込む。
【背景技術】
【０００２】
[0002]何年にもわたって子供達は、玩具列車セットなどの車両を含めて、人形、戦闘人形などの玩具で遊ぶことを楽しんできた。玩具列車セットは、鉄道模型セット、遠隔制御式のセット、および木製のセットなどの多くの異なる形で売られている。
【０００３】
既存の玩具列車セットは、単一の階層のまま変わらない構成を形成する線路および支持部品を含む。一部の玩具列車セットは、２つの階層上に構成を形成するように構築することができ、すなわち、一部の線路は、支持表面によって支持される他の線路を越えてその上に位置決めされる。３つ以上の階層からなる構成を有するあらゆる線路配置は、線路が崩壊するため、不安定で、使用不能で、かつ面白くない可能性がある。
【発明の概要】
【課題を解決するための手段】
【０００４】
[0003]玩具列車セットは、多くの異なるタイプの線路構成を形成するようにともに接続される複数の線路部品を含む。本発明の線路部品とともに組み込まれ、またはそれらの上に組み込まれる接続機構により、独自の構成および多くの異なる遊びのシナリオが可能になる。また、これらの接続機構により、木材およびプラスチックなどの異なる材料の組合せを線路部品に使用することができる。
【図面の簡単な説明】
【０００５】
【図１】[0004]本発明の一実施形態による玩具線路システム内の線路部品を示す図である。
【図２】本発明の一実施形態による玩具線路システム内の線路部品を示す図である。
【図３】本発明の一実施形態による玩具線路システム内の線路部品を示す図である。
【図４】本発明の一実施形態による玩具線路システム内の線路部品を示す図である。
【図５】本発明の一実施形態による玩具線路システム内の線路部品を示す図である。
【図６】本発明の一実施形態による玩具線路システム内の線路部品を示す図である。
【図７】本発明の一実施形態による玩具線路システム内の線路部品を示す図である。
【図８】[0005]本発明の一実施形態による玩具線路システム内の支持部品を示す図である。
【図９】本発明の一実施形態による玩具線路システム内の支持部品を示す図である。
【図１０】本発明の一実施形態による玩具線路システム内の支持部品を示す図である。
【図１１】[0006]玩具線路システムのモジュール性を示す図である。
【図１２】[0007]玩具線路システムで形成される複数の線路配置の上面図である。
【図１３】玩具線路システムで形成される複数の線路配置の上面図である。
【図１４】[0008]玩具線路システムで形成される複数の線路配置の図である。
【図１５】玩具線路システムで形成される複数の線路配置の図である。
【図１６】玩具線路システムで形成される複数の線路配置の図である。
【図１７】玩具線路システムで形成される複数の線路配置の図である。
【図１８】玩具線路システムで形成される複数の線路配置の図である。
【図１９】玩具線路システムで形成される複数の線路配置の図である。
【図２０】[0009]本発明の一実施形態による玩具線路システム内の線路部品を示す図である。
【図２１】本発明の一実施形態による玩具線路システム内の線路部品を示す図である。
【図２２】本発明の一実施形態による玩具線路システム内の線路部品を示す図である。
【図２３】本発明の一実施形態による玩具線路システム内の線路部品を示す図である。
【図２４】本発明の一実施形態による玩具線路システム内の線路部品を示す図である。
【図２５】本発明の一実施形態による玩具線路システム内の線路部品を示す図である。
【図２６】本発明の一実施形態による玩具線路システム内の線路部品を示す図である。
【図２７】本発明の一実施形態による玩具線路システム内の線路部品を示す図である。
【図２８】本発明の一実施形態による玩具線路システム内の線路部品を示す図である。
【図２９】[0010]玩具線路システムの線路部品を通る車両のいくつかの図である。
【図３０】[0011]玩具線路システムで形成される線路配置のいくつかの図である。
【図３１】玩具線路システムで形成される線路配置のいくつかの図である。
【図３２】玩具線路システムで形成される線路配置のいくつかの図である。
【図３３】[0012]玩具線路システムのプラットホームのいくつかの図である。
【図３４】玩具線路システムのプラットホームのいくつかの図である。
【図３５】[0013]玩具線路システムの支持部品のいくつかの図である。
【図３６】玩具線路システムの支持部品のいくつかの図である。
【図３７】玩具線路システムの支持部品のいくつかの図である。
【図３８】[0014]玩具線路システムで形成される線路配置のいくつかの図である。
【図３９】玩具線路システムで形成される線路配置のいくつかの図である。
【図４０】[0015]玩具線路システムとともに使用できるいくつかの目的地／遊戯セットを示す図である。
【図４１】玩具線路システムとともに使用できるいくつかの目的地／遊戯セットを示す図である。
【図４２】玩具線路システムとともに使用できるいくつかの目的地／遊戯セットを示す図である。
【図４３】玩具線路システムとともに使用できるいくつかの目的地／遊戯セットを示す図である。
【発明を実施するための形態】
【０００６】
[0016]本発明のあらゆる実施形態について詳細に説明する前に、本発明はその適用分野において、以下の説明に記載または以下の図面に図示する構成要素の構造および構成の詳細に限定されないことを理解されたい。本発明は、他の実施形態が可能であり、様々な方法で実行または実施することが可能である。また、本明細書で使用する用語および術語は説明を目的とし、限定と見なすべきではないことを理解されたい。
【０００７】
[0017]本明細書では、図面について説明する際、上、下、下方、上方、後方、下部、前面、背面など、方向に関する言及を行うことがあるが、これらの言及は、図面（通常見たとおり）に対して便宜上行うものである。これらの方向は、文字通り解釈されるものではなく、または本発明をいかなる形でも限定しようとするものではない。さらに、本明細書では、「第１の」、「第２の」、および「第３の」などの用語は、説明を目的として使用しており、相対的な重要性または意義を指示または暗示しようとするものではない。
【０００８】
[0018]本発明は、１つまたは複数の目的地または遊戯セットを支持するように構成された線路システムを有する玩具列車システムに関し、その線路システム上を１つまたは複数の車両が通る。線路システムは、図１〜７、２０〜２１、および２３〜２９に示すように、複数の異なる線路部品１０を含む。異なる線路部品１０は、想像上可能なあらゆる構成に組み立てることができる。図１〜７、２０〜２１、および２３〜２９に示す線路部品１０は、直線、曲線、丘陵状（たとえば、山および谷を有する）、Ｔ字状、十字状、および傾斜である。線路部品１０は、他の適した形状を有することができ、それらの形状も可能であり、本発明によって企図される。線路部品１０は、使用者が望む多くの異なる構成に組み立てることができる。図１２〜１９、２２、３０〜３３、および３８〜３９は、線路部品１０で可能ないくつかの異なる構成のみを示す。
【０００９】
[0019]線路部品１０は、線路１４を画定するようにともに着脱可能に結合されるように構成される。線路１４は、列車（図２９参照）などの車両１８が通る（たとえば、回転、摺動、滑走など）ための表面を形成する。線路１４は、始点および終点を有することができる。始点と終点は、ともに結合させることができ、または線路に沿って異なる位置にすることもできる。
【００１０】
[0020]線路システムはまた、図８〜１０、２２、および３５〜３７に示すように、複数の支持部品２２を含む。支持部品２２は、多くの異なる構成で線路部品１０に結合されて線路部品１０を支持するように構成される。支持部品２２は、異なる高さで線路部品１０を支持するように、ともに結合させ、かつ／または線路部品１０に結合させることができる。
【００１１】
[0021]線路システムはまた、図３３〜３４および３８に示すように、玩具列車システムに関連する様々な付属品に結合されてそれらの付属品を支持するように構成された複数のプラットホーム２６を含む。たとえば、プラットホーム２６により、建造物および他の遊戯セット構成などの目的地を線路１４に結合することができ、ならびに／または線路１４に隣接して、および／もしくは線路１４を越えて位置決めすることができる。
【００１２】
[0022]線路部品１０およびプラットホーム２６は、特定の線路配置のアセンブリがモジュール式になるように、幾何学的に寸法設定することができる。図１１は、この概念を示す。線路部品１０およびプラットホーム２６のモジュール性により、使用者は、丈夫で複数の階層がある線路配置を容易に構築することができる。
【００１３】
[0023]図１〜７および２０〜２１に示す線路部品１０の一部は、第１の端部３４および第２の端部３８を有する基礎３０を含む。第１の端部３４はおすコネクタ４２を含み、第２の端部３８はめすコネクタ４６を含む。基礎３０から上方へ１つまたは複数の側壁５０が延びており、第１の端部３４と第２の端部３８の間の長さに延びることができる。基礎３０、第１の端部３４、第２の端部３８、および側壁５０は、凹部５４を画定する。凹部５４は、基礎３０から上方へ延びる１つまたは複数の支柱５８を含むことができる。凹部５４は、線路表面６２を受け取るように構成されるが、必ずしも必須ではない。線路表面６２は、基礎３０の材料とは異なる材料を含むことができる。１つの構造では、線路表面は木材を含む。他の適した材料もまた、本発明によって企図される。線路表面６２は、１つまたは複数の支柱５８を受け取るように構成された１つまたは複数の開口６６を含むことができる。線路表面６２は、車両の車輪が通る１対の通路７０を形成するような輪郭である。第１の端部３４および第２の端部３８も同様に、通路７０と位置合わせされた１対の通路７４を含み、連続する経路を車両に提供する。線路部品１０の一部はまた、側壁５０から延びる複数のおす接続点７８を含む。これらのおす接続点７８は、プラットホーム２６、支持部品２２、または目的地／遊戯セットの対応するめすコネクタを受け取るように構成される。
【００１４】
[0024]図２に示すように、線路部品１０の一部は、丘陵を通る車両または隅部もしくは湾曲部の周りを通る車両をさらに支持し、車両が線路から落下するのを防止するように、延ばした側壁８２を含むことができる。
【００１５】
[0025]図８〜１０に示す支持部品２２の一部は、第１の支柱８６と、第２の支柱９０と、第１の支柱８６および第２の支柱９０に接続された高いプラットホーム９４とを含む。第１の支柱８６および第２の支柱９０は、おす接続点７８を受け取るように構成されためすコネクタ１０２を有する第１の端部９８を含む。第１の支柱８６および第２の支柱９０は、別の支持部品２２のめすコネクタ１０２を受け取るように構成されたおすコネクタ１１０を有する第２の端部１０６を含む。この構成により、複数の支持部品２２をともに接続および積層して、複数の階層がある線路配置を作製することができる。
【００１６】
[0026]図３３〜３４および３８に示すプラットホーム２６は、下部表面１１４および上部表面１１８を含む。下部表面１１４は、おす接続点７８に結合するように構成された複数のめすコネクタ１２２を含む。プラットホーム２６は、プラットホーム２６が接続された線路部品１０によって完全に支持され、線路部品１０の側面から片持ち梁状に形成される。プラットホーム２６は、目的地／遊戯セットを支持することができる。
【００１７】
[0027]たとえば、折り畳み式の橋は、プラットホーム２６の有無にかかわらず線路部品１０に接続できる目的地または遊戯セットである。折り畳み式の橋は、図４０に示すが、貨物車に対する第１の停車場である。貨物車は、開放屋根式のトンネルを通過することができ、屋根の開口から貨物を積み込むことができる。橋を渡った後、車は、閉鎖屋根式のトンネルの下を通る。貨物車は、ばね式機構を作動させる。これにより橋は折り畳まれ、貨物車は次の停車場に到着する。この目的地は、安全解除スライダボタンも有することに留意されたい。通常の列車遊びでは、このボタンが非安全解除位置にある場合、エンジンおよび貨物車は通過することができる。跳ね上げ式の扉は、手動遊び向けであり、機械的に連結されていない。アクションチャガー（ＡＣ）は、目的地を修理するために特別な作動磁石を有する。折り畳み式の橋の場合、ＡＣは橋のアーチ内の金属挿入部に磁気的に連結され、この金属挿入部を持ち上げて定位置に戻す。
【００１８】
[0028]別の例として、発電所は、プラットホーム２６の有無にかかわらず線路部品１０に接続できる目的地または遊戯セットである。発電所は、図４１に示すが、貨物車に対する第２の停車場である。貨物車は、持ち上げ式の扉を通過する。硬質ＰＰの「ケーブル」が、２つの塔を連結する。貨物車は、持ち上げ式の扉の基礎にあるばね式機構を作動させる。これにより、ケーブル塔は自由に回転して、反時計回り（ＣＣＷ）に最小で４回転戻る。この発電所は、安全解除スライダボタンも有することに留意されたい。通常の列車遊びでは、このボタンが非安全解除位置にある場合、エンジンおよび貨物車はそばを通過することができる。跳ね上げ式の扉は、手動遊び向けであり、機械的に連結されていない。ＡＣはケーブルを押し、ばねを利用して塔に荷重を加えてケーブルを再度取り付ける。１回転の時計回りで、ばねの作用を元の状態に戻す。ケーブルは、わずかな回転止めによって塔と位置合わせされる。このばねは、次の損傷サイクルに対してケーブルに荷重を加える。この機構は、子供が手でケーブルを巻きすぎないようにクラッチが外れる。発電所はまた、手動遊び向けの紐を有するノズルを有する。
【００１９】
[0029]別の例として、料金徴収所は、プラットホーム２６の有無にかかわらず線路部品１０に接続できる目的地または遊戯セットである。料金徴収所は、図４２に示すが、貨物車に対する第３の停車場である。貨物車は、持ち上げ式の扉の基礎にあるばね式機構を作動させる。これにより、道路を枢動させて、亀裂が生じた場合のように水平に約３０°開く。次いで貨物車は、線路に転がり落ちる。料金徴収所は、安全解除スライダボタンも有することに留意されたい。通常の列車遊びでは、このボタンが非安全解除位置にある場合、エンジンおよび貨物車はそばを通過することができる。跳ね上げ式の扉は、手動遊び向けであり、機械的に連結されていない。ＡＣは作動磁石を使用して、道路を枢動させて閉じる。
【００２０】
[0030]別の例として、管制塔は、プラットホーム２６の有無にかかわらず線路部品１０に接続できる目的地または遊戯セットである。管制塔は、図４３に示すが、貨物車に対する第４の停車場である。これは、第１の停車場から第３の停車場まで貨物車を走らせた結末である。上部にある解放の引き金を押すと、枢動アームが反時計回りに４回転戻り、ＡＣは重力によって「高度を下げる」。またこれにより、光および音のＳＦＸが作動する。ＡＣは、両端に標準的な磁石ピンを有する。ＡＣは、開いた翼の下で取り付けブラケット（フォークリフトなど）に連結することによって、アームの端部に取り付けられる。裏面から差し込まれると、ＡＣは、曲線の線路の中央に完全に着地し、取り付けブラケットから転がって離れる。使用者は、アームをまっすぐ上へ持ち上げて、安全解放モードにする。爪車機構により、こうして元の状態に戻すことができる。
【００２１】
[0031]上記は、本発明の実施形態について図示、説明、および記載する目的で提供した。これらの実施形態に対する修正および適合は当業者には明らかであり、本発明の範囲または精神から逸脱することなく加えることができる。
【００２２】
[0032]本発明の様々な特徴および利点について、以下の特許請求の範囲に記載する。
【図８】
2013507188.tif 000003
【図９】
2013507188.tif 000004
【図１０】
2013507188.tif 000005
【図１１】
2013507188.tif 000006
【図１２】
2013507188.tif 000007
【図１３】
2013507188.tif 000008
【図１４】
2013507188.tif 000009
【図１５】
2013507188.tif 000010
【図１６】
2013507188.tif 000011
【図１９】
2013507188.tif 000012
【図２９】
2013507188.tif 000013
【図３５】
2013507188.tif 000014
【図３６】
2013507188.tif 000015
【図３７】
2013507188.tif 000016
【図３８】
2013507188.tif 000017
【図４０】
2013507188.tif 000018
【図４１】
2013507188.tif 000019
【図４２】
2013507188.tif 000020
【図１】
2013507188.tif 000021
【図２】
2013507188.tif 000022
【図３】
2013507188.tif 000023
【図４】
2013507188.tif 000024
【図５】
2013507188.tif 000025
【図６】
2013507188.tif 000026
【図７】
2013507188.tif 000027
【図１７】
2013507188.tif 000028
【図１８】
2013507188.tif 000029
【図２０】
2013507188.tif 000030
【図２１】
2013507188.tif 000031
【図２２】
2013507188.tif 000032
【図２３】
2013507188.tif 000033
【図２４】
2013507188.tif 000034
【図２５】
2013507188.tif 000035
【図２６】
2013507188.tif 000036
【図２７】
2013507188.tif 000037
【図２８】
2013507188.tif 000038
【図３０】
2013507188.tif 000039
【図３１】
2013507188.tif 000040
【図３２】
2013507188.tif 000041
【図３３】
2013507188.tif 000042
【図３４】
2013507188.tif 000043
【図３９】
2013507188.tif 000044
【図４３】
2013507188.tif 000045
【国際調査報告】
2013507188.tif 000046
2013507188.tif 000047